(57)【要約】      （修正有）【課題】短時間に正確に組み付けられるフラットケーブル用コネクタを提供する。【解決手段】フラットケーブル１０を据え置きするための胴体部と、フラットケーブルを挿入する挿入口と、前記挿入口に挿入されたフラットケーブルが通過する挿入部１３０と、挿入部を通過したフラットケーブルの先端が当接してフラットケーブルがそれ以上挿入されないようにフラットケーブルの挿入深さを限定する停止部と、停止部の後方において相手側のコネクタのコンタクトと対向する位置に開放された露出部１４０と、フラットケーブルの先端の浮き上がりを制限する支持部１５０と、挿入されたフラットケーブルの凹溝１１と結合される固定部と、相手側のコネクタの対応係合部と係合されるための係合部と、相手側のコネクタの対応係合部との係合を解除するための押圧部と、前記係合部と押圧部との間に位置し、胴体部と接続される接続部と、を備える。【選択図】図６
2012028296.tif 000002
【特許請求の範囲】
【請求項１】
フラットケーブルを挿着してフラットケーブルの端子部を相手側のコネクタのコンタクトに接触するためのフラットケーブル用コネクタにおいて、
胴体部と、
胴体部の後方に形成され、フラットケーブルを挿入する挿入口と、
前記挿入口に挿入されたフラットケーブルの挿入深さを限定する停止部と、
前記挿入口と前記停止部との間で前記胴体部を前後方向に貫通して形成された挿入部と、
前記停止部の後方において前記相手側のコネクタの前記コンタクトと対向する位置に前記フラットケーブルの端子部を露出させるために開放された露出部と、
前記停止部まで挿入された前記フラットケーブル先端の浮き上がりを制限する支持部と、
前記フラットケーブルの凹溝又は凸部と結合して前記フラットケーブルが前記挿入部の後方に後退しないように固定する固定部と、
前記相手側のコネクタの対応係合部と係合されるための係合部と、
前記相手側のコネクタの前記対応係合部との係合を解除するための押圧部と、
前記係合部と前記押圧部との間に位置し、前記胴体部と接続される接続部と、
を備え、
前記胴体部、前記挿入口、前記停止部、前記挿入部、前記露出部、前記支持部、前記固定部、前記係合部、前記押圧部、及び前記接続部が、合成樹脂を射出することによって一体に形成されることを特徴とするフラットケーブル用コネクタ。
【請求項２】
前記支持部は、フラットケーブル先端の角部だけを支持することを特徴とする請求項１に記載のフラットケーブル用コネクタ。
【請求項３】
前記固定部は上下方向に弾性的に変位可能であることを特徴とする請求項１に記載のフラットケーブル用コネクタ。
【請求項４】
前記停止部は、前記フラットケーブルの端子部よりも前記相手側のコネクタのコンタクトの方向に突出していることを特徴とする請求項１に記載のフラットケーブル用コネクタ。
【発明の詳細な説明】
【技術分野】
【０００１】
本発明はフラットケーブル用コネクタに係り、さらに詳しくは、ＦＦＣ（フレキシブル・フラット・ケーブル）又はＦＰＣ（フレキシブル・プリント基板）などのフラットケーブルの端子部を用いて相手側のコネクタのとの接触を行うフラットケーブル用コネクタに関する。
【背景技術】
【０００２】
電子機器部品同士の間で信号などを伝達するためにフラットケーブルが使用される場合が多く、このようなフラットケーブルは、通常、コネクタによって接続される。すなわち、フラットケーブル１０の末端にコネクタを設けずに端子部１２をコネクタに結合する方式によって接続を行ったり（図１）、フラットケーブルの末端にコネクタを設けて相手側のコネクタとの接続を行ったり（図２）する。
【０００３】
また、フラットケーブルの末端に設けられるコネクタは、別途のコンタクトを備えてフラットケーブルの端子部を半田付けなどによって接続する方式もあるが、別途のコンタクトなしにフラットケーブルの端子部を露出させて、該端子部を相手側のコネクタのコンタクトと接触する方式もある。
【０００４】
図３のコネクタは、フラットケーブル１０の末端に設けられ、相手側のコネクタとの結合のための金属製係合部２０及び金属製カバー３０などを備えている（例えば、下記の特許文献１を参照）。この種類のコネクタは、その構造が複雑であるだけではなく、この場合において、フラットケーブルの末端にコネクタを設けるための作業もまた煩雑であるという不都合がある。
【０００５】
さらに、図４のコネクタは、係合部の変形を抑えるための過応力防止手段４０を合成樹脂製ハウジングの射出に際して別設することを余儀なくされるため、製作工程が煩雑であるだけではなく、フラットケーブルを湾曲させて孔５０をハウジングの突出部６０に嵌め込むため、所定量の弾性力を有するフラットケーブルをハウジングに保持することが困難であるという不都合がある。
【先行技術文献】
【特許文献】
【０００６】
【特許文献１】大韓民国登録特許第７１６４０１号公報
【特許文献２】大韓民国登録特許第３１０４２７号公報
【発明の開示】
【発明が解決しようとする課題】
【０００７】
本発明は、上記の如き従来の技術の問題点を解消するためになされたものであり、その目的は、フラットケーブルの末端にコネクタを短時間内に正確に組み付けることができ、且つ、フラットケーブルのコネクタからの引き抜きを防ぎ、しかも、コネクタに耐久性を持たせるところにある。
【課題を解決するための手段】
【０００８】
上記の目的を達成するために、本発明は、フラットケーブルを挿着してフラットケーブルの端子部を相手側のコネクタのコンタクトに接触するためのフラットケーブル用コネクタにおいて、胴体部と、前記胴体部の後方に形成され、前記フラットケーブルを挿入する挿入口と、前記挿入口に挿入されたフラットケーブルの挿入深さを限定する停止部と、前記挿入口と前記停止部との間で前記胴体部を前後方向に貫通して形成された挿入部と、前記停止部の後方において前記相手側のコネクタの前記コンタクトと対向する位置に前記フラットケーブルの端子部を露出させるために開放された露出部と、前記停止部まで挿入されたフラットケーブル先端の浮き上がりを制限する支持部と、前記フラットケーブルの凹溝又は凸部と結合して前記フラットケーブルが挿入部の後方に後退しないように固定する固定部と、前記相手側のコネクタの対応係合部と係合されるための係合部と、前記相手側のコネクタの前記対応係合部との係合を解除するための押圧部と、前記係合部と前記押圧部との間に位置し、前記胴体部と接続される接続部と、を備え、前記胴体部、前記挿入口、前記停止部、前記挿入部、前記露出部、前記支持部、前記固定部、前記係合部、前記押圧部、及び前記接続部が、合成樹脂を射出することによって一体に形成されることを特徴とするフラットケーブル用コネクタを提供する。
【０００９】
好ましくは、前記支持部は、フラットケーブル先端の角部だけを支持する。
【００１０】
また、好ましくは、前記固定部は上下方向に弾性的に変位可能である。
【００１１】
さらに好ましくは、前記停止部は、フラットケーブルの端子部よりも相手側のコネクタのコンタクトに向かって突出している。
【発明の効果】
【００１２】
本発明によれば、フラットケーブルの末端にコネクタを短時間内に正確に組み付けることができ、それによって生産時間を短縮することができ、且つ、フラットケーブルがコネクタから容易に引き抜くことができず、しかも、コネクタの耐久性を確保できるという効果がある。
【図面の簡単な説明】
【００１３】
【図１】従来のフラットケーブル用コネクタの例示図である。
【図２】従来のフラットケーブル用コネクタの例示図である。
【図３】従来のフラットケーブル用コネクタの例示図である。
【図４】従来のフラットケーブル用コネクタの例示図である。
【図５】本発明の一実施形態によるコネクタの斜視図（ａ）であり、本発明の一実施形態によるコネクタの底面斜視図（ｂ）である。
【図６】フラットケーブルと図５のコネクタとの結合過程を示す底面斜視図である。
【図７】相手側のコネクタと図５のコネクタとの結合過程を示す斜視図である。
【図８】フラットケーブルと図５のコネクタとの結合過程を説明するための底面図（ａ）及び断面図（ｂ）〜（ｄ）である。
【図９】相手側のコネクタと図５のコネクタとの結合断面図である。
【発明を実施するための最良の形態】
【００１４】
以下、添付図面に基づき、本発明のフラットケーブル用コネクタの実施形態を詳述する。
【００１５】
図５の（ａ）は、本発明の一実施形態によるコネクタの斜視図であり、（ｂ）は本発明の一実施形態によるコネクタの底面斜視図であり、図６は、フラットケーブルと図５のコネクタとの結合過程を示す底面斜視図であり、そして図７は、相手側のコネクタと図５のコネクタとの結合過程を示す斜視図である。
【００１６】
この実施形態によるコネクタ１００は、フラットケーブルを据え置きするための胴体部１０１と、フラットケーブル１０を挿入する挿入口１１０と、前記挿入口１１０に挿入されたフラットケーブル１０が通過する挿入部１３０と、挿入部１３０を通過したフラットケーブル１０の先端が当接し、フラットケーブル１０がそれ以上挿入されないようにフラットケーブル１０の挿入深さを限定する停止部１２０と、前記停止部１２０の後方において相手側のコネクタ１１００のコンタクト１１２０と対向する位置に開放された露出部１４０と、フラットケーブル１０の先端の浮き上がりを制限する支持部１５０と、挿入されたフラットケーブル１０の凹溝１１と結合される固定部１６０と、相手側のコネクタ１１００の対応係合部１１７０と係合されるための係合部１７０と、相手側のコネクタ１１００の対応係合部１１７０との係合を解除するための押圧部１８０と、前記係合部１７０と前記押圧部１８０との間に位置し、胴体部と接続される接続部１９０と、を備えている（図５から図７を参照）。
【００１７】
上記の構成を有する本発明に係るコネクタ１００は、合成樹脂を一体に射出することで製作される。
【００１８】
フラットケーブルを挿入するためには、前記胴体部の後方に略矩形状に形成された挿入口１１０にフラットケーブルを挿入することになる。この実施形態におけるフラットケーブル１０は、凹溝１１をその側方に備えており、その一方の面には、端子部１２が配設されている（図６を参照）。
【００１９】
挿入口１１０に挿入されたフラットケーブルは、胴体部１０１を貫通して形成された挿入部１３０に沿ってコネクタの前方に向かって嵌入する。図８の（ｂ）、（ｃ）、及び（ｄ）は、図８の（ａ）の底面図のＡ−Ａ断面を用いてフラットケーブルが固定される構造を説明する図である。フラットケーブル１０は、挿入過程において、その先端が固定部１６０を通過することになる。このとき、図８の（ｂ）に示すように、固定部１６０と挿入部１３０をなす胴体部１０１の上面との間に屈曲されながら挿入可能である。または、図８の（ｃ）に示すように、固定部１６０を下方に弾性変位させながら挿入されることもできる。この後、図８の（ｄ）に示すように、フラットケーブル１０が完全に挿入されると、固定部１６０の弾性又はフラットケーブル１０の弾性によって、固定部１６０と凹溝１１とは互いに結合される。固定部１６０はフラットケーブルの挿入方向に傾斜しており、フラットケーブル１０が固定部１６０を過ぎて完全に挿入できるようにし、また、固定部１６０の先端が略直角に形成されおり、フラットケーブル１０が胴体部１０１の後方に引き抜けることを阻止することが可能になる。
【００２０】
この実施形態においては、凹溝を有するフラットケーブルと結合されるコネクタを説明しているが、側面に突出部を備えたフラットケーブルに結合されるコネクタにおいても同じ原理によりフラットケーブルを固定することができるということは、当業者であれば十分に理解できる筈であるため、その詳細な説明を省く。
【００２１】
さらに、挿入し終わったフラットケーブルの先端の浮き上がりは、支持部１５０によって制限される（図８の（ｄ）を参照）。すなわち、フラットケーブルの先端が停止部１２０よりも相手側のコネクタのコンタクトに近くに位置すると、挿入時に相手側のコネクタのコンタクトに接触してフラットケーブルが曲がるといった不良が発生するが、支持部１５０はこのような浮き上がりを制限する役割を果たすものである。この実施形態においては、フラットケーブル先端の角部を支持部１５０が支持しているが、フラットケーブル先端の全体を支持することも可能である。
【００２２】
また、停止部１２０は、図９に示すように、フラットケーブル１０の端子部１２よりも相手側のコネクタの端子部１１２０に近接するように突出されていることが好ましいが、この場合、フラットケーブルの先端が停止部１２０に先に接触してフラットケーブルの変形を防ぐことが可能になる。
【００２３】
さらに、胴体部の左右側方には、係合部１７０と押圧部１８０とが接続部１９０によって設けられている（図７参照）。係合部１７０は相手側のコネクタ１１００の対応係合部１１７０と係合されるためのものであり、押圧部１８０は相手側のコネクタ１１００の対応係合部１１７０と係合部１７０との係合を解除するためのものである。
【００２４】
押圧部１８０を押圧する場合（図７の矢印Ａ方向）、係合部１７０が相手側のコネクタ１１００の対応係合部１１７０との係合を解除する方向（図７の矢印Ｂ方向）に変位され、押圧部１８０を押圧しない場合、相手側のコネクタ１１００との結合を維持できるように弾性的に作動する。この実施形態のコネクタ１００を相手側のコネクタ１１００と結合するとき、はじめに支持部１５０がなす突出端を支持部対応部１１５０に挿入し、フラットケーブルの端子部が相手側のコネクタのコンタクトに接触する最終位置まで挿入する過程において、係合部１７０は、相手側のコネクタの外面に接触し、図７の矢印Ｂ方向に変位されながら結合されるため、別途の操作をすることなく迅速に両コネクタを結合することができる。さらに、押圧部１８０を図７の矢印Ａ方向に最大限に押圧しても、押圧部１８０が胴体部１０１に当接して過変位による異常状態の応力が発生することが防止される。接続部１９０が係合部１７０と押圧部１８０との間に位置しているため、接続部１９０に過度な力が作用することを防ぐことができる。
【符号の説明】
【００２５】
１０  フラットケーブル
１１  凹溝
１２  端子部
１０１  胴体部
１１０  挿入口
１２０  停止部
１３０  挿入部
１４０  露出部
１５０  支持部
１６０  固定部
１７０  係合部
１８０  押圧部
１９０  接続部
【図１】
2012028296.tif 000003
【図２】
2012028296.tif 000004
【図３】
2012028296.tif 000005
【図４】
2012028296.tif 000006
【図５】
2012028296.tif 000007
【図６】
2012028296.tif 000008
【図７】
2012028296.tif 000009
【図８】
2012028296.tif 000010
【図９】
2012028296.tif 000011